(57)【要約】【課題】従来に比べ、低コストで複数の灯具ユニットを個別に点灯確認する。【解決手段】車両用灯具１は、複数の灯具ユニット２，…と、灯具ユニット２，…に個別に設けられ、互いに直列接続された複数の給電コネクタ２４，…とを備える。給電コネクタ２４，…は、外部に露出した正負の給電端子２４ｃ，２４ｃをそれぞれ有する。【選択図】図３
2012160414.tif 000002
【特許請求の範囲】
【請求項１】
複数の灯具ユニットと、
前記複数の灯具ユニットに個別に設けられ、互いに直列接続された複数の給電コネクタと、
を備える車両用灯具において、
前記複数の給電コネクタは、外部に露出した正負の給電端子をそれぞれ有することを特徴とする車両用灯具。
【請求項２】
複数の灯具ユニットに個別に設けられて互いに直列接続された複数の給電コネクタに給電し、前記複数の灯具ユニットの点灯確認を行う車両用灯具の点灯検査方法において、
前記複数の給電コネクタとして、外部に露出した正負の給電端子をそれぞれ有するものを用い、
前記給電端子を介して前記複数の灯具ユニットに個別に給電し、当該複数の灯具ユニットを個別に点灯させることを特徴とする車両用灯具の点灯検査方法。
【発明の詳細な説明】
【技術分野】
【０００１】
本発明は、車両用灯具、及び車両用灯具の点灯検査方法に関する。
【背景技術】
【０００２】
従来、自動車用ヘッドライトなどの車両用灯具として、複数の灯具ユニットを備えるものが知られている（例えば、特許文献１参照）。この種の車両用灯具では、光源に給電するための給電コネクタが各灯具ユニットに設けられ、互いに接続されている。
【０００３】
図４は、この種の車両用灯具の配線ブロック図である。
この図に示すように、複数（図４では４つ）の灯具ユニットにそれぞれ設けられた給電コネクタ８０，…は、個別に設けられた検査用カプラー８１を介して直列接続された状態で、車両本体との接続端子である集合カプラー８２に接続されている。ここで、全ての給電コネクタ８０，…が直列接続されているのは、何れかの灯具ユニットの給電系統に不具合が生じた際に、全ての灯具ユニットへの給電を遮断できるようにするためである。また、検査用カプラー８１は、外部に露出した正負の給電端子８１ａ，８１ａを有しており、出荷前の点灯検査において、給電端子８１ａ，８１ａから灯具ユニット（給電コネクタ８０）に個別に給電して点灯確認を行うために設けられている。
【先行技術文献】
【特許文献】
【０００４】
【特許文献１】特開２０１０−１７０７５３号公報
【発明の概要】
【発明が解決しようとする課題】
【０００５】
しかしながら、上記従来の車両用灯具では、出荷前の点灯検査のためだけに複数の検査用カプラー８１，…を設けなくてはならないため、コスト高となっていた。
【０００６】
本発明は、上記事情を鑑みてなされたもので、従来に比べ、低コストで複数の灯具ユニットを個別に点灯確認することができる車両用灯具及びその点灯検査方法の提供を課題とする。
【課題を解決するための手段】
【０００７】
上記課題を解決するために、請求項１に記載の発明は、
複数の灯具ユニットと、
前記複数の灯具ユニットに個別に設けられ、互いに直列接続された複数の給電コネクタと、
を備える車両用灯具において、
前記複数の給電コネクタは、外部に露出した正負の給電端子をそれぞれ有することを特徴とする。
【０００８】
また、上記課題を解決するために、請求項２に記載の発明は、
複数の灯具ユニットに個別に設けられて互いに直列接続された複数の給電コネクタに給電し、前記複数の灯具ユニットの点灯確認を行う車両用灯具の点灯検査方法において、
前記複数の給電コネクタとして、外部に露出した正負の給電端子をそれぞれ有するものを用い、
前記給電端子を介して前記複数の灯具ユニットに個別に給電し、当該複数の灯具ユニットを個別に点灯させることを特徴とする。
【発明の効果】
【０００９】
本発明によれば、複数の灯具ユニットに個別に設けられて互いに直列接続された複数の給電コネクタが、外部に露出した正負の給電端子をそれぞれ有するので、この給電端子を介して複数の灯具ユニットに個別に給電し、当該複数の灯具ユニットを個別に点灯させることができる。したがって、点灯検査のためだけに複数の検査用カプラーを設けていた従来に比べ、当該複数の検査用カプラーを不要とすることができ、低コストで複数の灯具ユニットを個別に点灯確認することができる。
【図面の簡単な説明】
【００１０】
【図１】実施形態における車両用灯具の要部の平面図である。
【図２】図１のＡ−Ａ線での断面図である。
【図３】実施形態における車両用灯具の配線ブロック図である。
【図４】従来の車両用灯具の配線ブロック図である。
【発明を実施するための形態】
【００１１】
以下、本発明の実施形態について図面を参照して説明する。
【００１２】
図１は、本実施形態における車両用灯具１の要部の平面図であり、図２は、図１のＡ−Ａ線での断面図である。
なお、以下の説明では、特に断らない限り、「上」「下」「前」「後」「左」「右」との記載を、車両用灯具１から見た方向を指すものとして、図面の記載と対応させて用いることとする。
【００１３】
図１に示すように、車両用灯具１は、４つの灯具ユニット２，…を備えている。これらの灯具ユニット２，…は、左側のものほど後方に配置されるように前後方向へ段階的に位置をずらしつつ、左右方向に並設されている。
【００１４】
各灯具ユニット２は、図２に示すように、前後方向に略直交するように立設された略平板状のベース部材２０を備えている。ベース部材２０の上部には、前方へ隆起した隆起部２０ａが形成されている。
【００１５】
ベース部材２０の前面には、隆起部２０ａの頂面から当該ベース部材２０の中ほどの高さに掛けてフレキシブル基板２１が配設されている。隆起部２０ａの頂面に位置するフレキシブル基板２１の上端部には、ＬＥＤ（発光ダイオード）２２が実装されている。
【００１６】
ベース部材２０の前方には、隆起部２０ａを含む当該ベース部材２０の上半部を覆うように、平凸レンズ状の投影レンズ２３が配設されている。投影レンズ２３は、その光軸Ａｘ上にＬＥＤ２２が位置するように配置されており、ＬＥＤ２２から前方に出射された光を前方に投影する。
【００１７】
ベース部材２０の前面であって隆起部２０ａの下方には、投影レンズ２３によって略上半部が覆われた給電コネクタ２４が配設されている。給電コネクタ２４は、上端部でフレキシブル基板２１と電気的に接続されるとともに、下端部から延出されたケーブル２４ａを介して後述の集合カプラー３（図３参照）と電気的に接続されている。また、給電コネクタ２４の下部には、その筐体の前面に挿通孔２４ｂ，２４ｂが穿設されており、当該挿通孔２４ｂ，２４ｂを通じて内部の正負の給電端子２４ｃ，２４ｃが外部（前方）に露出している。
【００１８】
続いて、車両用灯具１の配線構成について説明する。
図３は、車両用灯具１の配線ブロック図である。
この図に示すように、全ての給電コネクタ２４，…は、灯具ユニット２，…間を跨いで互いに直列接続されるとともに、図示しない車両本体との接続端子である集合カプラー３に接続されている。そのため、車両本体から集合カプラー３に給電されると、当該集合カプラー３を通じて上流側から順番に各給電コネクタ２４に給電される。そして、各給電コネクタ２４からフレキシブル基板２１に通電されてＬＥＤ２２が点灯する。
【００１９】
続いて、車両用灯具１の点灯検査方法について説明する。この点灯検査は、車両用灯具１の出荷前にＬＥＤ２２の点灯確認を行う検査である。
この点灯検査では、集合カプラー３に給電して全ての灯具ユニット２，…（ＬＥＤ２２，…）が適正に点灯することを確認する。
また、当該点灯検査では、灯具ユニット２，…に個別に給電し、ＬＥＤ２２，…が個別にも適正に点灯することを確認する。このときには、図２に示すように、給電コネクタ２４の正負の給電端子２４ｃ，２４ｃを介して灯具ユニット２，…に個別に給電し、当該灯具ユニット２，…（ＬＥＤ２２，…）を個別に点灯させる。具体的には、図示しない給電プローブを給電コネクタ２４の挿通孔２４ｂ，２４ｂに挿通させて給電端子２４ｃ，２４ｃに直接給電する。これにより、集合カプラー３を介すことなく給電コネクタ２４，…に個別に給電することができ、ＬＥＤ２２，…を個別に点灯させることができる。
【００２０】
以上のように、灯具ユニット２，…に個別に設けられて互いに直列接続された給電コネクタ２４が、外部に露出した正負の給電端子２４ｃ，２４ｃをそれぞれ有するので、この給電端子２４ｃ，２４ｃを介して灯具ユニット２，…に個別に給電し、当該灯具ユニット２，…（ＬＥＤ２２，…）を個別に点灯させることができる。したがって、点灯検査のためだけに複数の検査用カプラーを設けていた従来に比べ、当該複数の検査用カプラーを不要とすることができ、低コストで複数の灯具ユニット２，…を個別に点灯確認することができる。
【００２１】
なお、本発明を適用可能な実施形態は、上述した実施形態に限定されることなく、本発明の趣旨を逸脱しない範囲で適宜変更可能である。
【符号の説明】
【００２２】
１        車両用灯具
２        灯具ユニット
３        集合カプラー
２０      ベース部材
２１      フレキシブル基板
２２      ＬＥＤ
２３      投影レンズ
２４      給電コネクタ
２４ｂ    挿通孔
２４ｃ    給電端子
【図１】
2012160414.tif 000003
【図２】
2012160414.tif 000004
【図３】
2012160414.tif 000005
【図４】
2012160414.tif 000006